(57)【要約】      （修正有）【課題】体に触れたときに熱を冷涼な感じを与え、しかも美しく変化に富んだ外観を有する布製品を提供する。【解決手段】布製品１は、綿糸またはポリエステル長繊維糸が現われる印刷に適した第１面２と、熱伝導性の高いポリエチレンを有する糸が現われる第２面を有する編み生地よりなり、第１面２には印刷による図柄が現れた印刷面４が設けられ、第２面は使用者の体に接する冷感面になっている。【選択図】図１
0003228506.tif 000002
【実用新案登録請求の範囲】
【請求項１】
綿糸またはポリエステル長繊維糸が現われる第１面と、ポリエチレンを有する糸が現われる第２面を有する編み生地よりなり、第１面には印刷による図柄が現われた印刷面が設けられている布製品。
【請求項２】
第２面は使用者の体に接する冷感面であり、タオル、マスク、アームカバーまたはタオルマフラーのいずれかである請求項１に記載の布製品。
【考案の詳細な説明】
【技術分野】
【０００１】
この考案は、体に触れたときに熱を拡散し冷涼な感じを与える布製品に関し、たとえば、タオル、マスク、アームカバー、タオルマフラーなどに関する。
【背景技術】
【０００２】
ポリエチレン糸は熱伝導性が高く、体に触れたときに体温を拡散するので、使用者に冷たい感じを与える。特許文献１には、よこ糸と地たて糸とパイルたて糸からなり、片面パイル組織もしくは両面パイル組織で織成されたタオル地であり、パイルたて糸の少なくとも一部が超高分子量ポリエチレン繊維からなる冷感タオル地が記載されている。また、特許文献２には、第１編物生地と、第１編物生地と異なる編物生地であり第１編物生地と実質的に同じ形状である第２編物生地と、第１編物生地と第２編物生地の周辺を縫着する縫着部を有することにより、その両面において異なる機能を持たせることが記載されており、さらに、第２編物生地にポリエチレン糸で編成した編物生地を使用することが記載されている。
【先行技術文献】
【特許文献】
【０００３】
【特許文献１】実用新案登録第３１７５１２６号公報
【特許文献２】実用新案登録第３２２３６９２号公報
【考案の概要】
【考案が解決しようとする課題】
【０００４】
特許文献１に記載された冷感タオル地は、使用する超高分子量ポリエチレン糸の熱伝導率が大きく、従って、タオル地のパイルに用いることで、接触冷感が得られる。しかし、印刷による図柄を表すことができず、単色の単調な外観しか有しない。
【０００５】
一方、特許文献２に記載された複合ハンカチの場合、第２編物生地にポリエチレン糸で編成した編物生地を使用することにより、触ったときに冷たく感じる冷感機能をもたせることができ、さらに、第１編物生地を印刷に適した編地にし、印刷による図柄が設けることにより、美しい外観を得ることができる。しかし、２枚以上の編物生地を別々に製造し、これを縫着すると全体的に厚くなり、薄い布製品を作ることが困難になる。
【０００６】
この考案は、体に触れたときに熱を冷涼な感じを与え、しかも美しく変化に富んだ外観を有する布製品を提供することを目的とする。
【課題を解決するための手段】
【０００７】
上述の課題を解決するため、この考案の布製品は、綿糸またはポリエステル長繊維糸が現われる第１面と、ポリエチレンを有する糸が現われる第２面を有する編み生地よりなり、第１面には印刷による図柄が表れた印刷面が設けられている。第２面は使用者の体に接する冷感面であり、タオル、マスク、アームカバーまたはタオルマフラーなどに特に適している。
【考案の効果】
【０００８】
この考案の布製品では、綿糸またはポリエステル長繊維糸が現われる印刷に適した第１面とポリエチレンを有する糸が現われる冷感機能がある第２面を有する編物生地を同時に編成でき、薄い編物生地を得ることもできる。体に触れたときに熱を冷涼な感じを与え、印刷面により美しく変化に富んだ外観を実現できる。
【図面の簡単な説明】
【０００９】
【図１】布製品を示す平面図である。
【考案を実施するための形態】
【００１０】
この考案を実施するための形態について説明する。図１は布製品を示す平面図であり、一つの角部を折り返した状態を示している。この例では、布製品１はハンカチである。布製品１の布地は編み生地である。第１面２には、綿糸またはポリエステル長繊維糸が現われる。第１面２とは逆の第２面３には、ポリエチレンを有する糸が現われる。第１面２は印刷に適した面であり、印刷による図柄が現われた印刷面が形成される。
【００１１】
第１面２に表れるのは綿糸またはポリエステル長繊維糸である。綿糸の場合、たとえば２０番手〜４０番手の単糸が適しており、ポリエステル長繊維糸であれば７５〜１５０ｄ（デニール）などが適している。タオルなどに適用する場合、第１面２にはパイルを形成してもよいが、本例のハンカチではパイルを形成していない。この面は柔らかく手触りが良く、吸水性にも優れる。第１面２にはポリエチレンを有する糸は現われない。
【００１２】
第２面３に表れるのはポリエチレンを有する糸である。ポリエチレン糸を使用しもよく、あるいはポリエチレンとポリエステルやポリエチレンとレーヨンの組み合わせでもよい。例えば７５ｄ／３６ｆや１５０ｄ／１１０ｆなどの糸が使用できる。熱伝導性に優れたポリエチレンを有する糸が表れているので、熱が拡散しやすい。使用者の体に触れるとその箇所の体熱が流出し、使用者に冷感を与える作用がある。
【００１３】
この布製品の製造方法について説明する。上述の糸を交織により編成することによって編み生地を得ることができる。この編成は普及している編み機によって行うことができる。タオルやタオルハンカチの場合は第１面側にパイルを形成するが、それ以外の布製品の場合はパイルを形成しなくてもよい。
【００１４】
第１面に印刷を行い、印刷面を形成する。顔料、染料のいずれによる印刷でもよい。
【００１５】
印刷後に乾燥を行う。ここで、本考案においては、１０５℃以上１１０℃以下の温度で乾燥する。たとえば、１０５℃１２分もしくは１１０℃９分の条件で乾燥させる。これを越える温度では、ポリエチレンの温度特性により糸が収縮や溶解を起こしてしまう。１０５℃１２分もしくは１１０℃９分の条件であれば、ポリエチレンの品質を損なうことがなく、しかも印刷面を効果的に乾燥できることが判明した。特に１０５℃で乾燥させることが好ましい。特に乾燥温度には注意を要する。そのために、乾燥機の温度が一定になるように部屋の環境や空気の流れを管理することが好ましい。
【００１６】
染料による印刷の場合、乾燥温度を１０５℃にセットして乾燥時間は５分程度とする。その後、後処理（余剰染料の除去）を行う。さらに１００℃程度で生地の乾燥が出来る時間で乾燥を行う。
【００１７】
顔料による印刷の場合、乾燥温度を１０５℃にセットして５分程の乾燥を２回行う。１０分の乾燥を１回で行うことも可能であるが、この場合、生地の収縮に注意する必要がある。
【００１８】
以上の生産方法により印刷面を有する編み生地を得ることができる。ポリエチレンは加熱により収縮や溶解を起こすため、これまでの製造方法ではポリエチレンを有する布製品に印刷が施すことが不可能であった。本考案によって初めて、ポリエチレンを有する布地に印刷面を形成することができるようになった。この生産方法により印刷された編み生地を製造したら、編み生地の堅牢度検査を行い、堅牢度に問題ないかを確認することが好ましい。
【００１９】
この考案の布製品としては、ハンカチ以外にも人の体に接する用途に適しており、タオル、マスク、アームカバーやマフラー（ネッククーラー）などが選択できる。マフラーの場合は、第２面を首に当たるように巻き付けることによって、首の熱を発散する。マスクであれば第２面を顔に当たる側にする。これによりマスク内の熱が素早く外に発散され、快適であるとともに夏場の熱中症の防止になる。第１面を外側にすることによって印刷面を外から見えるようにし、華やかさが演出される。ポリエステルのマイクロソフトファイバーを使用することによって粉塵や飛沫の通過を減少できる。
【００２０】
アームカバーの場合は、第２面を内側になるように筒状にする。この中に腕を通すことによって、腕の熱を拡散させ、冷涼な感じを与える。筒の外周には印刷面が現われる。
【符号の説明】
【００２１】
１．布製品（ハンカチ）
２．第１面
３．第２面
４．印刷面
【図１】
0003228506.tif 000003